(57)【特許請求の範囲】
【請求項１】
プリント基板上に実装されるライトアングル型平衡伝送用コネクタであって、
電気絶縁性のブロック体に、共に、略Ｌ字形状であり、上下方向である列方向に並んで対をなす第１、第２の信号コンタクト部材と、グランドコンタクト部材とが左右方向である行方向に交互に並んだ状態とされて組み込まれている構造であり、前面側に嵌合接続部を有するコネクタ本体と、
両側に台座部を有し、両側の台座部の間に前記ブロック体が組み込まれ、前記ブロック体を支持するダイキャスト製のハウジングと、
プリント基板上に実装された後に、該ハウジングに取り付けられて、前記第１、第２の信号コンタクト部材のうち前記コネクタ本体の背面側に露出している部分を覆うシールドカバー部材とよりなる構成とし、
前記シールドカバー部材は、天板部と、背面板部とを有するＬ字形状である構成とし、
前記シールドカバー部材は、切り起こして形成された、前記ハウジングに接触する板ばね部を複数有する構成とし、
前記板ばね部は、複数列を形成し、
隣り合う列の板ばね部の向きは互いに逆である構成としたことを特徴とするライトアングル型平衡伝送用コネクタ。
【請求項２】
プリント基板上に実装されるライトアングル型平衡伝送用コネクタであって、
電気絶縁性のブロック体に、共に、略Ｌ字形状であり、上下方向である列方向に並んで対をなす第１、第２の信号コンタクト部材と、グランドコンタクト部材とが左右方向である行方向に交互に並んだ状態とされて組み込まれている構造であり、前面側に嵌合接続部を有するコネクタ本体と、
両側に台座部を有し、両側の台座部の間に前記ブロック体が組み込まれ、前記ブロック体を支持するダイキャスト製のハウジングと、
プリント基板上に実装された後に、該ハウジングに取り付けられて、前記第１、第２の信号コンタクト部材のうち前記コネクタ本体の背面側に露出している部分を覆うシールドカバー部材とよりなる構成とし、
前記シールドカバー部材は、天板部と、背面板部と、両側の側面板部とを有する箱形状であり、前記ハウジングの前記両側の台座部を含めて覆う構成とし、
前記シールドカバー部材は、切り起こして形成された、前記ハウジングに接触する板ばね部を複数有する構成とし、
前記板ばね部は、複数列を形成し、
隣り合う列の板ばね部の向きは互いに逆である構成としたことを特徴とするライトアングル型平衡伝送用コネクタ。
【請求項３】
請求項１又は２に記載のライトアングル型平衡伝送用コネクタにおいて、
前記コネクタ本体は、その背面側に、前記第１、第２の信号コンタクト部材及びグランドコンタクト部材の延在部と実装用コンタクトとが露出している構成であり、
前記シールドカバー部材は、前記第１、第２の信号コンタクト部材及びグランドコンタクト部材の延在部と実装用コンタクトとを共に覆う構成としたことを特徴とするライトアングル型平衡伝送用コネクタ。
【請求項４】
請求項１又は２に記載のライトアングル型平衡伝送用コネクタにおいて、
前記シールドカバー部材は、前記ハウジングの前記両側の台座部を弾性的に係止するフック部を有し、
前記シールドカバー部材は、該フック部が前記両側の台座部と弾性的に係止されて取り付けてある構成としたことを特徴とするライトアングル型平衡伝送用コネクタ。
【発明の詳細な説明】
【技術分野】
【０００１】
本発明はライトアングル型平衡伝送用コネクタに係り、特にプリント基板の端に実装されて、先端の接続部が電子機器の窓から突き出ており、背面部が電子機器の内部に収まって使用されるライトアングル型平衡伝送用コネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有している。
【０００３】
電算機、サーバー、交換機、ルータ等の電子機器の間でデータを伝送するために平衡伝送方式が多く採用されつつある。この場合には、電子機器は平衡伝送用コネクタを設けた構成とし、平衡伝送用ケーブルの端の平衡伝送用コネクタを電子機器の平衡伝送用コネクタに接続して、電子機器と電子機器との間が接続される。
【０００４】
現在、情報処理の速度が高速化してきており、このためにネットワーキング信号も伝送速度が高速化してきている。信号の伝送速度が高速化すると、それだけ電磁ノイズがコネクタの個所から漏洩し易くなるので、平衡伝送用コネクタの部分についても電磁シールドの強化を図ってEMI(Electro-Magnetic  Interference)対策を行うことが重要となる。
【背景技術】
【０００５】
図１は従来の１例のライトアングル型平衡伝送用コネクタ１０を示す。平衡伝送用コネクタ１０は、電気絶縁性のブロック体１１にコンタクト部材１２が組み込んであるコネクタ本体１３が、略Ｕ字形状のダイキャスト製のハウジング１４内に組み込んで補強されている構成である。
【０００６】
この平衡伝送用コネクタ１０は、図２に示すように、ハウジング１４の脚部１４ａをプリント基板２０の孔２１に嵌合され位置決めされ、この部分を半田付けされて堅固に固定されて、背面側のコンタクト１２ａをプリント基板２０上のパッド端子部に半田付けされて、プリント基板２０の端の部分に実装してある。この平衡伝送用コネクタ１０の前側のコネクタ接続部１５が電子機器３０のパネル３１の窓から外に突き出ている。コネクタ接続部１５には平衡伝送用ケーブル４０の端のコネクタ４１が嵌合して接続される。
【特許文献１】特開平１０−２６１４５７号公報
【発明の開示】
【発明が解決しようとする課題】
【０００７】
この平衡伝送用コネクタ１０の背面側、即ち、平衡伝送用コネクタ１０のうち電子機器３０の内部側の部分を見ると、コンタクト部材１２の一部分１２ｂが露出している。このため、このコンタクト部材１２の一部分１２ｂから電磁ノイズ５０が電子機器３０の内部に放射され、電子機器３０の内部の電子部品５１がこの電磁ノイズ５０の影響を受ける危険があった。
【０００８】
そこで、本発明は、上記の点に鑑みてなされたものであり、特に背面側にEMI対策を施したライトアングル型平衡伝送用コネクタを提供することを目的とする。
【課題を解決するための手段】
【０００９】
そこで、上記課題を解決するため、本発明は、プリント基板上に実装されるライトアングル型平衡伝送用コネクタであって、
電気絶縁性のブロック体に、共に、略Ｌ字形状であり、上下方向である列方向に並んで対をなす第１、第２の信号コンタクト部材と、グランドコンタクト部材とが左右方向である行方向に交互に並んだ状態とされて組み込まれている構造であり、前面側に嵌合接続部を有するコネクタ本体と、
両側に台座部を有し、両側の台座部の間に前記ブロック体が組み込まれ、前記ブロック体を支持するダイキャスト製のハウジングと、
プリント基板上に実装された後に、該ハウジングに取り付けられて、前記第１、第２の信号コンタクト部材のうち前記コネクタ本体の背面側に露出している部分を覆うシールドカバー部材とよりなる構成とし、
前記シールドカバー部材は、天板部と、背面板部とを有するＬ字形状である構成とし、
前記シールドカバー部材は、切り起こして形成された、前記ハウジングに接触する板ばね部を複数有する構成とし、
前記板ばね部は、複数列を形成し、
隣り合う列の板ばね部の向きは互いに逆である構成としたことを特徴とする。
【発明の効果】
【００１０】
本発明によれば、背面側が良好に電磁シールドされ、電子機器の内部の電子部品が電磁ノイズの影響を受けないようにすることが出来る。
【発明を実施するための最良の形態】
【００１１】
次に本発明の実施の形態について説明する。
【実施例１】
【００１２】
図３は本発明の実施例１になるライトアングル型平衡伝送用コネクタ１００を示す。図４はコネクタ１００を分解して示す斜視図、図５はコネクタ本体１０１を分解して示すと共にコンタクト部材の並びを示す図である。
【００１３】
Ｘ１−Ｘ２はコネクタ１００の幅方向、Ｙ１−Ｙ２はコネクタ１００の奥行き方向、Ｚ１−Ｚ２はコネクタ１００の高さ方向である。Ｙ１はコネクタ１００の前面側、Ｙ２はコネクタ１００の背面側である。
［コネクタ１００の構成］
コネクタ１００は、コネクタ本体１０１と、ハウジング１２０と、背面側シールドカバー部材１３０とを有する構成である。なお、背面側シールドカバー部材１３０は、コネクタ１００をプリント基板に実装した後に取り付けられる。
【００１４】
コネクタ本体１０１は、図５に示すように、電気絶縁性のブロック体１０２に、そのＹ２側から、第１の信号コンタクト部材１１１と第２信号コンタクト部材１１２と板状のグランドコンタクト部材１１５が圧入されている構成である。
【００１５】
ブロック体１０２は、Ｙ２側が背面１０３、Ｙ１側が先端部分１０４である。ブロック体１０２の側面には後述するＵ字形状ラグ部１３５が挿入されて係止される係止用段部１０５が形成してある。
【００１６】
第１の信号コンタクト部材１１１と第２信号コンタクト部材１１２と板状のグランドコンタクト部材１１５は、共に略Ｌ字形状であり、コネクタ１００はライトアングル型である。
【００１７】
ブロック体１０２の内部では、第１の信号コンタクト部材１１１の第１の信号コンタクト１１１ａと第２信号コンタクト部材１１２の第１の信号コンタクト１１２ａとが対をなして上下方向である列の方向（Ｚ１−Ｚ２方向）に並んでおり、且つ、この対をなす第１、第２の信号コンタクト１１１ａ、１１２ａと、グランドコンタクト部材１１５のフォーク形状のグランドコンタクト１１５ａとが左右方向である行の方向（Ｘ１−Ｘ２方向）に交互に所定のピッチで並んでいる。ブロック体１０２の背面１０３側には、第２の信号コンタクト部材１１２の細幅の延在部１１２ｂと実装用コンタクト１１２ｃと、第１の信号コンタクト部材１１１の細幅の延在部１１１ｂと実装用コンタクト１１１ｃと、グランドコンタクト部材１１５の細幅の延在部１１５ｂと実装用コンタクト１１５ｃとが露出しており、背面１０３に沿ってＸ１−Ｘ２方向に所定のピッチで並んでいる。
【００１８】
ハウジング１２０は、例えばマグネシウム製のダイキャスト部品であり、コネクタ本体１０１を囲んで補強すると共に、特にコネクタ１００のＸ１、Ｘ２側をシールドする役割を有する。ハウジング１２０は、図４に示すように、四角の枠部１２１とＸ２側の台座部１２２とＸ１側の台座部１２３とを有する。各台座部１２２、１２３の内側面には、後述する板部１３６が挿入される浅い凹部１２４が形成してある。また、ハウジング１２０の側面に係止用段部１２５が形成してある。係止用段部１２５は後述するフック部１３７と係止される。
【００１９】
図６に示すように、１４０は先端側シールドカバー部材、１４１はガスケット部材、１４３はファスナ部材であり、共に金属板製である。
【００２０】
コネクタ１００は、ハウジング１２０の四角の枠部１２１内にＹ２側からコネクタブロック体１０２が挿入されて組み込まれ、ハウジング１２０よりＹ１側に突き出たコネクタブロック体１０２の先端部分１０４に、シールドカバー部材１４０を嵌合させて先端部分１０４を覆い、更に、シールドカバー部材１４０にガスケット部材１４１を嵌合させ、ファスナ部材１４３でガスケット部材１４１を止め組み立てを終了し、図３及び図４に示すようになって、完成する。
【００２１】
完成したコネクタ１００は、ハウジング１２０の台座部１２２、１２３がコネクタ本体１０１の両側に沿っている。前面側に嵌合接続部１００ａを有する。背面側にプリント基板の端の端子パッドに対応するコンタクト列１００ｂを有する。コンタクト列１００ｂは、延在部１１１ｂ、１１２ｂ、１１５ｂと実装用コンタクト１１１ｃ、１１２ｃ、１１５ｃとよりなる。
【００２２】
上記のコネクタ１００は、図６及び図７（Ａ），（Ｂ）に示すように、ハウジング１２０の脚部１２６，１２７をプリント基板２０の孔２１に嵌合され位置決めされ、この部分を半田付けされて堅固に固定されて、背面側の実装用コンタクト１１２ｃ、１１１ｃ、１１５ｃをプリント基板２０のパッド端子部に半田付けされて、プリント基板２０の端の部分に実装される。
［背面側シールドカバー部材１３０］
図３及び図７（Ａ）に示すように、背面側シールドカバー部材１３０は、金属板のプレス成形部品であり、Ｘ２側から見てＬ字形状であり、天板部１３１と、垂直の背面板部１３２とを有する。天板部１３１には、複数のカンチレバー状の板ばね部１３３，１３４が二列に並んで形成してある。第１の列の板ばね部１３３は、Ｘ２側が基部でＸ１側がコンタクト１３３ａである形状である。第２の列の板ばね部１３４は、Ｘ１側が基部でＸ２側がコンタクト１３４ａである形状である。コンタクト１３３ａとコンタクト１３４ａとは千鳥状に並んでいる。ここで、電磁ノイズが漏れないためには、Ｘ１−Ｘ２方向上隣り合うコンタクト１３３ａとコンタクト１３４ａとの距離ａが所定より短いことが必要である。特に図７（Ａ）に示すように、第１の列の板ばね部１３３と第２の列の板ばね部１３４とは向きが互いに逆である配置であるため、隣り合うコンタクト１３３ａとコンタクト１３４ａとの距離ａは短くして、板ばね部１３３，１３４は通常よりも長い長さｂを有することが出来、板ばね部１３３，１３４は高いばね性を有する。
【００２３】
天板部１３１のＸ２とＸ１側には、Ｕ字形状ラグ部１３５が形成してある。Ｕ字形状ラグ部１３５は、天板部１３１からＺ１方向に延在している板部１３６の先端を内側に折り返えして形成してある。背面板部１３２のＸ２とＸ１側には、Ｙ１側に向く三角形状のフック部１３７と、四角形のラグ部１３８が形成してある。フック部１３７は、背面板部１３２に切り込んだスリットによって形成されたカンチレバー状の腕部１３９の先端にある。
［背面側シールドカバー部材１３０の取り付け］
プリント基板２０上に実装されたコネクタ１００の背面側に、前記の背面側シールドカバー部材１３０を上からかぶせるようにして取り付ける。背面側シールドカバー部材１３０は、図３に示すようにＺ１側からＺ２方向に降ろして、Ｕ字形状ラグ部１３５を前記の凹部１２４によって台座部１２２、１２３とコネクタ本体１０１との間に形成されている隙間１４５に入り込ませ、更に、押し付けるだけの操作によって、図６及び図７（Ａ），（Ｂ）に示すようにロックされて取り付けられる。
【００２４】
図８（Ａ）は、図７（Ａ）中VIIIA-VIIIA線に沿う断面図である。背面側シールドカバー部材１３０は、図８（Ａ），（Ｂ）に示すように、Ｕ字形状ラグ部１３５がブロック体１０２の係止用段部１０５を係止し、且つ、図３に示すように、フック部１３７がハウジング１２０の係止用段部１２５を係止し、計４箇所で係止されており、Ｚ１方向へは外れないようになっている。また、両側の板部１３６が夫々浅い凹部１２４に挿入されており、背面側シールドカバー部材１３０はＹ１−Ｙ２方向への動きを拘束されている。
【００２５】
ここで、板ばね部１３３、１３４のコンタクト１３３ａ、１３４ａがハウジング１２０は天板部１２０ａの上面に押し当って、板ばね部１３３、１３４が弾性的に撓んでおり、板ばね部１３３、１３４の弾性力によって背面側シールドカバー部材１３０はＺ１方向に付勢されており、Ｕ字形状ラグ部１３５及びフック部１３７が夫々係止用段部１０５、１２５に押し当っており、背面側シールドカバー部材１３０はＺ１−Ｚ２方向上では遊びの無い状態にある。
【００２６】
また、板ばね部１３３、１３４のコンタクト１３３ａ、１３４ａがハウジング１２０の枠部１２１の天板部１２０ａの上面に押し当ることによって、背面側シールドカバー部材１３０は複数の個所でハウジング１２０と接触されており確実にフレームグランド電位とされており、電磁シールド機能を発揮する。
［背面側シールドカバー部材１３０の電磁シールド作用］
次に、背面側シールドカバー部材１３０の電磁シールド作用について説明する。
【００２７】
図７（Ｂ）に示すように、背面板部１３２は、延在部１１１ｂ、１１２ｂ、１１５ｂを覆うと共に、プリント基板２０のパッド端子部に半田付けされている実装用コンタクト１１１ｃ、１１２ｃ、１１５ｃも覆っている。更に、板部１３６及びラグ部１３８が、天板部１３１とハウジング１２０との間の隙間のＸ１，Ｘ２側の口を覆っている。よって、延在部１１１ｂ、１１２ｂ及び半田付けされている実装用コンタクト１１１ｃ、１１２ｃから発せられた電磁ノイズは、背面側シールドカバー部材１３０によって遮蔽され、電子機器内の他の電子部品への影響が抑えられる。また、逆に、電子機器内の他の電子部品からの電磁ノイズが延在部１１１ｂ、１１２ｂ及び半田付けされている実装用コンタクト１１１ｃ、１１２ｃに到達することも抑えられる。
【実施例２】
【００２８】
図９は本発明の実施例２になるライトアングル型平衡伝送用コネクタ１００Ａを示す。コネクタ１００Ａは、コネクタ本体１０１と、ハウジング１２０と、背面側シールドカバー部材２００とを有する構成である。コネクタ１００は、図３に示すコネクタ１００と比較すると、背面側シールドカバー部材２００が相違する。
【００２９】
シールドカバー部材２００は、図１０（Ａ）、（Ｂ）に示すように、略箱形状であり、天板部２０１と、垂直の背面板部２０２と、垂直の側面板部２０３、２０４と、垂直の内側側面板部２０５、２０６とを有する。天板部２０１には、シールドカバー部材２００の内側に切り起こされて、Ｙ１−Ｙ２方向に長い複数の板ばね部２０１ａがＸ１−Ｘ２方向に並んで形成してある。板ばね部２０１ａのＹ２端がコンタクト２０１ｂである。背面板部２０２からＸ１、Ｘ２側に延びて且つ直角に曲げてあるＵ形状の腕部２０２ａ，２０２ｂが、側面板部２０３、２０４の切り起こし部２０３ａ、２０４ａを係止している。また、側面板部２０３、２０４には、Ｙ１側にＺ１−Ｚ２方向に長い腕部２０３ｂ、２０４ｂが形成してあり、各腕部２０３ｂ、２０４ｂの先端であるＺ２端にはシールドカバー部材２００の内側に折り曲げられたフック部２０３ｃ、２０４ｃが形成してある。また、背面板部２０２には、Ｕ形状の腕部２０２ａ，２０２ｂの付け根の個所に、Ｙ１方向に曲げられたラグ部２０２ｃ，２０２ｄが形成してある。Ｘ１−Ｘ２方向上でみると、内側側面板部２０５とラグ部２０２ｃとは同じ位置にあり、内側側面板部２０６とラグ部２０２ｄとは同じ位置にある。
【００３０】
コネクタ１００Ａがプリント基板（２０）上に実装された状態で、シールドカバー部材２００が、図９に示すように、Ｚ１側からＺ２方向に移動させて、図１１（Ａ），（Ｂ）に示すように取り付けられ、コネクタ１００Ａの背面側を覆う。
【００３１】
図１２（Ａ）は図１１（Ｂ）中、XIIA-XIIA線に沿う断面図、図１２（Ｃ）は図１１（Ｂ）中、XIIC-XIIC線に沿う断面図、図１２（Ｄ）は図１１（Ｂ）中、XIID-XIID線に沿う断面図である。シールドカバー部材２００は、図１２（Ａ）乃至（Ｄ）に示すように取り付けられる。シールドカバー部材２００をＺ１側からコネクタ１００Ａに押し付けると、腕部２０３ｂ、２０４ｂがそのフック部２０３ｃ、２０４ｃの間が拡がるように撓まされ、シールドカバー部材２００が最終位置まで沈み込むと、図１２（Ａ）、（Ｂ）に示すようにフック部２０３ｃ、２０４ｃがハウジング１２０Ａの底面を係止し、シールドカバー部材２００がＺ１方向へ外れることを制限する。
【００３２】
板ばね部２０１ａのコンタクト２０１ｂは、ハウジング１２０の上面を押圧し、且つハウジング１２０Ａの天板部１２１ａのＹ２側の段部１２１ｂを係止してシールドカバー部材２００がＹ２方向に外れることを制限する。
【００３３】
内側側面板部２０５、２０６は、ハウジング１２０の各台座部１２２、１２３の内側面の凹部１２４に嵌合してあり、シールドカバー部材２００をＹ１−Ｙ２方向上の動きを拘束する。
【００３４】
シールドカバー部材２００はハウジング１２０Ａと複数の個所で接触してフレームグランド電位とされた状態でコンタクト列１００ｂを覆っており、電磁ノイズの機器内への放出を制限している。ここで、シールドカバー部材２００は箱形状であるため、図３のコネクタ１００に比較して高いシールド効果が期待出来る。
【実施例３】
【００３５】
図１３は本発明の実施例２になるライトアングル型平衡伝送用コネクタ１００Ｂを示す。コネクタ１００Ｂは、コネクタ本体１０１と、ハウジング１２０と、背面側シールドカバー部材３００とを有する構成である。コネクタ１００Ｂは、図３に示すコネクタ１００と比較すると、背面側シールドカバー部材３００が相違する。コネクタ１００Ｂは、図９に示すコネクタ１００Ａと比較すると、略箱形状の背面側シールドカバー部材３００がハウジング１２０Ｂに対してＹ２側から取り付けられるようにしたことが相違する。
【００３６】
シールドカバー部材３００は、図１４（Ａ）、（Ｂ）に示すように、略箱形状であり、天板部３０１と、垂直の背面板部３０２と、垂直の側面板部３０３、３０４とを有する。天板部３０１には、シールドカバー部材３００の内側に切り起こされて、Ｙ１−Ｙ２方向に長い複数の板ばね部３０１ａがＸ１−Ｘ２方向に並んで形成してある。板ばね部３０１ａのＹ２端がコンタクト３０１ｂである。天板部３０１には、更に、シールドカバー部材３００の内側に切り起こされて且つＹ１側が凸のＵ字形状に湾曲されたＵ字形状板ばね部３０１ｃ，３０１ｄが形成してある。背面板部３０２からＸ１、Ｘ２側に延びて且つ直角に曲げてあるＵ形状の腕部３０２ａ，３０２ｂが、側面板部３０３、３０４の切り起こし部３０３ａ、３０４ａを係止している。また、側面板部３０３、３０４のＺ２端には、シールドカバー部材３００の内側に折り曲げられたフック部３０３ｂ、３０４ｂが形成してある。また、側面板部３０３、３０４には、夫々複数の板ばね部３０３ｃ、３０４ｃがシールドカバー部材３００の内側に切り起こされて形成してある。板ばね部３０３ｃ、３０４ｃは斜めに延在しており、Ｙ２側がコンタクト３０３ｄ、３０４ｄである。また、背面板部３０２には、Ｕ形状の腕部３０２ａ，３０２ｂの付け根の個所に、Ｙ１方向に曲げられたラグ部３０２ｃ，３０２ｄが形成してある。
【００３７】
コネクタ１００Ｂがプリント基板（２０）上に実装された状態で、シールドカバー部材３００が、図１３に示すように、プリント基板上をＹ２側からＹ１方向に移動させて、図１５（Ａ），（Ｂ）に示すように取り付けられ、コネクタ１００Ｂの背面側を覆う。
【００３８】
図１６（Ａ）は図１５（Ｂ）中、XVIA-XVIA線に沿う断面図、図１６（Ｃ）は図１５（Ｂ）中、XVIC-XVIC線に沿う断面図である。シールドカバー部材３００は、図１６（Ａ）乃至（Ｃ）に示すように取り付けられる。プリント基板（２０）上に置かれたシールドカバー部材３００をＹ２側からコネクタ１００Ｂに押し付けると、フック部３０３ｂ、３０４ｂがハウジング１２０の台座部１２２、１２３の下面に嵌合し、Ｕ字形状板ばね部３０１ｃ，３０１ｄが台座部１２２、１２３の上面を滑って、更に、板ばね部３０１ａがハウジング１２０の上面を滑って、板ばね部３０３ｃ、３０４ｃが台座部１２２、１２３の側面を滑って移動する。
【００３９】
シールドカバー部材３００が最終位置まで移動されると、板ばね部３０１ａのコンタクト３０１ｂがハウジング１２０の上面の段部１２１ｂを係止してＹ２方向に外れることを制限する。ラグ部３０２ｃ，３０２ｄは、台座部１２２、１２３の内側面の凹部１２５嵌合して、Ｚ１方向への動きを拘束する。
【００４０】
シールドカバー部材３００はハウジング１２０と複数の個所で接触してフレームグランド電位とされた状態でコンタクト列１００ｂを覆っており、電磁ノイズの機器内への放出を制限している。ここで、シールドカバー部材３００は箱形状であるため、図３のコネクタ１００に比較して高いシールド効果が期待出来る。
【図面の簡単な説明】
【００４１】
【図１】従来の１例のライトアングル型平衡伝送用コネクタを示す図である。
【図２】図１のコネクタの使用状態を示す図である。
【図３】本発明の実施例１になるライトアングル型平衡伝送用コネクタを示す斜視図である。
【図４】図３のコネクタの分解して示す斜視図である。
【図５】コネクタ本体を分解して示すと共にコンタクト部材の並びを示す図である。
【図６】図３のライトアングル型平衡伝送用コネクタにシールドカバー部材が取り付けられた状態を示す斜視図である。
【図７】図３のライトアングル型平衡伝送用コネクタにシールドカバー部材が取り付けられた状態を示す図である。
【図８】（Ａ）は、図７（Ａ）中VIIIA-VIIIA線に沿う断面図、（Ｂ）は（Ａ）中の一部を拡大して示す図である。
【図９】本発明の実施例２になるライトアングル型平衡伝送用コネクタを示す斜視図である。
【図１０】図９中のシールドカバー部材を示す斜視図である。
【図１１】図９のライトアングル型平衡伝送用コネクタにシールドカバー部材が取り付けられた状態を示す図である。
【図１２】図１１（Ｂ）のシールドカバー部材付きのライトアングル型平衡伝送用コネクタを別々の線に沿って切断して示す断面図である。
【図１３】本発明の実施例３になるライトアングル型平衡伝送用コネクタを示す斜視図である。
【図１４】図１３中のシールドカバー部材を示す斜視図である。
【図１５】図１３のライトアングル型平衡伝送用コネクタにシールドカバー部材が取り付けられた状態を示す図である。
【図１６】図１５（Ｂ）のシールドカバー部材付きのライトアングル型平衡伝送用コネクタを別々の線に沿って切断して示す断面図である。
【符号の説明】
【００４２】
１００、１００Ａ，１００Ｂ  ライトアングル型平衡伝送用コネクタ
１００ａ  コンタクト列
１０１  コネクタ本体
１０２  ブロック体
１１１  第１の信号コンタクト部材
１１２  第２の信号コンタクト部材
１１５  グランドコンタクト部材
１２０  ハウジング
１２１  枠部
１２２，１２３  台座部
１３０、２００，３００  背面側シールドカバー部材
１３１、２０１、３０１  天板部
１３２、２０２、３０２  背面板部
２０３，２０４、３０３，３０４  側板部
【図１】
0004640979.tif 000002
【図２】
0004640979.tif 000003
【図３】
0004640979.tif 000004
【図４】
0004640979.tif 000005
【図５】
0004640979.tif 000006
【図６】
0004640979.tif 000007
【図７】
0004640979.tif 000008
【図８】
0004640979.tif 000009
【図９】
0004640979.tif 000010
【図１０】
0004640979.tif 000011
【図１１】
0004640979.tif 000012
【図１２】
0004640979.tif 000013
【図１３】
0004640979.tif 000014
【図１４】
0004640979.tif 000015
【図１５】
0004640979.tif 000016
【図１６】
0004640979.tif 000017